(57)【要約】【課題】折込部を挟み込んだとしても適切に折り畳むことができる折畳箱を提供する。【解決手段】  紙材で形成される折畳箱２は、一対の第１折曲線Ｌ１と一対の第２折曲線Ｌ２とを介して４つの側壁１０〜１３が連設され、四角筒状に形成される周壁Ｗと、周壁Ｗの内側に折り込み可能に設けられる４つの折込部１７と、を備え、各々の第２折曲線Ｌ２は、軸方向の一方において周方向に間隔をあけて対を成し、軸方向に延設された二重折線１５と、二重折線１５から軸方向の他端まで延設された折畳線と、を有し、周壁Ｗの開口を４つの折込部１７によって閉塞する使用形態と、一対の二重折線１５および一対の折畳線で屈曲し、且つ一対の第１折曲線Ｌ１で広げられた二対の側壁１０，１３−１１，１２の軸方向の一方の間に周壁Ｗの内側に折り込まれた４つの折込部１７を挟み込む折畳形態Ｆ２と、の間で変形する。【選択図】図１１
0003234049.tif 000002
【実用新案登録請求の範囲】
【請求項１】
紙材で形成される折畳箱（１）であって、
周方向に交互に配置された一対の第１折曲線（Ｌ１）と一対の第２折曲線（Ｌ２）とを介して４つの側壁（１０〜１３）が連設され、軸方向の両端を開口した四角筒状に形成される周壁（Ｗ）と、
４つの前記側壁の軸方向の一端にそれぞれ連設され、前記周壁の内側に折り込み可能に設けられる４つの折込部（１７，１８）と、を備え、
各々の前記第２折曲線は、
前記側壁の軸方向の一方において周方向に間隔をあけて対を成し、前記折込部が折り込まれたときの軸方向の長さに対応して軸方向に延設された二重折線（１５）と、
前記二重折線から軸方向の他端まで延設された折畳線（１６）と、を有し、
四角筒状を形成した前記周壁の軸方向の一方の開口を４つの前記折込部によって閉塞する使用形態（Ｆ１）と、一対の前記二重折線および一対の前記折畳線で屈曲し、且つ一対の前記第１折曲線で広げられた二対の前記側壁の軸方向の一方の間に前記周壁の内側に折り込まれた４つの前記折込部を挟み込む折畳形態（Ｆ２）と、の間で変形することを特徴とする折畳箱。
【請求項２】
各々の前記二重折線は、その間隔の中央位置を前記折畳線に一致させるように形成され、前記側壁の軸方向の一端から他方に向かって互いに平行に伸長した後、互いに接近するように傾斜しながら前記折畳線の軸方向の一端まで伸長していることを特徴とする請求項１に記載の折畳箱。
【請求項３】
４つの前記側壁は、周方向に交互に連設された一対の第１側壁（１０，１１）と一対の第２側壁（１２，１３）と、を有し、
４つの前記折込部は、一対の前記第１側壁の軸方向の一端に連設された一対の第１フラップ（２２，２３）と、一対の前記第２側壁の軸方向の一端に連設された一対の第２フラップ（３２，３３）と、を有し、
前記折畳形態にされた場合、一対の前記第１フラップおよび一対の前記第２フラップは前記周壁の内側に折り返されており、一対の前記第１フラップと一対の前記第２フラップのいずれか一方の一部（３２Ｂ，３３Ｂ）が広げられた状態で一対の前記第１フラップと一対の前記第２フラップのいずれか他方の表面に接合され、
前記使用形態にされた場合、一対の前記第１フラップと一対の前記第２フラップのいずれか一方の一部が前記第１フラップと前記第２フラップとの間に挟まれるように折り返されながら、一対の前記第１フラップと一対の前記第２フラップとが軸方向の一方に押し出されて前記周壁の一端を閉塞することを特徴とする請求項１または２に記載の折畳箱。
【請求項４】
４つの前記側壁は、周方向に交互に連設された一対の第１側壁（１０，１１）と一対の第２側壁（１２，１３）とを有し、
４つの前記折込部は、一対の第１折返壁（２０，２１）を介して一対の前記第１側壁の軸方向の一端に連設された一対の第１フラップ（２２，２３）と、一対の第２折返壁（３０，３１）を介して一対の前記第２側壁の軸方向の一端に連設された一対の第２フラップ（３２，３３）と、を有し、
各々の前記第１折返壁は前記周壁の内側に折り返されて一対の前記第１側壁の裏面に対向し、各々の前記第２折返壁は前記周壁の内側に折り返されて一対の前記第２側壁の裏面に対向し、
前記折畳形態にされた場合、一対の前記第１フラップおよび一対の前記第２フラップは軸方向の一方に折り返されており、一対の前記第１フラップと一対の前記第２フラップのいずれか一方の一部（３２Ｂ，３３Ｂ）が広げられた状態で一対の前記第１フラップと一対の前記第２フラップのいずれか他方の裏面に接合され、
前記使用形態にされた場合、一対の前記第１フラップと一対の前記第２フラップのいずれか一方の一部が前記第１フラップと前記第２フラップとの間に挟まれるように折り返されながら、一対の前記第１フラップと一対の前記第２フラップとが軸方向の他方に引き込まれて前記周壁の一端を閉塞することを特徴とする請求項１または２に記載の折畳箱。
【請求項５】
請求項１ないし４のいずれか１項に記載の折畳箱を形成することを特徴とするブランク。
【請求項６】
請求項１ないし４のいずれか１項に記載の折畳箱（２）と、
前記周壁の内部に設けられ、軸方向から見て格子状を成し前記折畳箱と共に折り畳み可能に形成される支持部材（３）と、を備え、
４つの前記折込部は、前記周壁の軸方向の一端を閉塞して棚板（１Ｓ）を形成し、
前記支持部材は、前記棚板の下面に当接して前記棚板を支持することを特徴とする陳列台。
【考案の詳細な説明】
【技術分野】
【０００１】
本考案は、紙材で形成される折畳箱、ブランクおよび陳列台に関する。
【背景技術】
【０００２】
４つの側板を折目で屈折させて四角筒状に形成し、対角位置の折目によって扁平に折り畳める紙製の展示台が知られている（特許文献１）。各側板の上縁には折目を介して側板の上部内面に折り重ねる中間片が連設され、各中間片の先端には折目を介して水平内方に折り曲げられる遊離片が連設されている。
【先行技術文献】
【特許文献】
【０００３】
【特許文献１】実開昭６１−１８１５６９号公報
【考案の概要】
【考案が解決しようとする課題】
【０００４】
上記した展示台を折り畳むと、中間片と遊離片とがそれぞれ２枚重なり合うため、対向する側板の間に合計４枚の片を挟み込むことになる。このように重なり合い分厚くなった複数の片を挟み込みながら折り畳むと、対角位置の折目に沿って裂ける所謂「罫割れ」が発生したり、折目とそれ以外の位置で２段に折れてしまう所謂「船折れ」が発生したりする虞があった。
【０００５】
本考案は、上記事情を考慮し、折込部を挟み込んだとしても適切に折り畳むことができる折畳箱、ブランクおよび陳列台を提供する。
【課題を解決するための手段】
【０００６】
本考案は、紙材で形成される折畳箱であって、周方向に交互に配置された一対の第１折曲線と一対の第２折曲線とを介して４つの側壁が連設され、軸方向の両端を開口した四角筒状に形成される周壁と、４つの前記側壁の軸方向の一端にそれぞれ連設され、前記周壁の内側に折り込み可能に設けられる４つの折込部と、を備え、各々の前記第２折曲線は、前記側壁の軸方向の一方において周方向に間隔をあけて対を成し、前記折込部が折り込まれたときの軸方向の長さに対応して軸方向に延設された二重折線と、前記二重折線から軸方向の他端まで延設された折畳線と、を有し、四角筒状を形成した前記周壁の軸方向の一方の開口を４つの前記折込部によって閉塞する使用形態と、一対の前記二重折線および一対の前記折畳線で屈曲し、且つ一対の前記第１折曲線で広げられた二対の前記側壁の軸方向の一方の間に前記周壁の内側に折り込まれた４つの前記折込部を挟み込む折畳形態と、の間で変形する。
【０００７】
この場合、各々の前記二重折線は、その間隔の中央位置を前記折畳線に一致させるように形成され、前記側壁の軸方向の一端から他方に向かって互いに平行に伸長した後、互いに接近するように傾斜しながら前記折畳線の軸方向の一端まで伸長してもよい。
【０００８】
この場合、４つの前記側壁は、周方向に交互に連設された一対の第１側壁と一対の第２側壁と、を有し、４つの前記折込部は、一対の前記第１側壁の軸方向の一端に連設された一対の第１フラップと、一対の前記第２側壁の軸方向の一端に連設された一対の第２フラップと、を有し、前記折畳形態にされた場合、一対の前記第１フラップおよび一対の前記第２フラップは前記周壁の内側に折り返されており、一対の前記第１フラップと一対の前記第２フラップのいずれか一方の一部が広げられた状態で一対の前記第１フラップと一対の前記第２フラップのいずれか他方の表面に接合され、前記使用形態にされた場合、一対の前記第１フラップと一対の前記第２フラップのいずれか一方の一部が前記第１フラップと前記第２フラップとの間に挟まれるように折り返されながら、一対の前記第１フラップと一対の前記第２フラップとが軸方向の一方に押し出されて前記周壁の一端を閉塞してもよい。
【０００９】
この場合、４つの前記側壁は、周方向に交互に連設された一対の第１側壁と一対の第２側壁とを有し、４つの前記折込部は、一対の第１折返壁を介して一対の前記第１側壁の軸方向の一端に連設された一対の第１フラップと、一対の第２折返壁を介して一対の前記第２側壁の軸方向の一端に連設された一対の第２フラップと、を有し、各々の前記第１折返壁は前記周壁の内側に折り返されて一対の前記第１側壁の裏面に対向し、各々の前記第２折返壁は前記周壁の内側に折り返されて一対の前記第２側壁の裏面に対向し、前記折畳形態にされた場合、一対の前記第１フラップおよび一対の前記第２フラップは軸方向の一方に折り返されており、一対の前記第１フラップと一対の前記第２フラップのいずれか一方の一部が広げられた状態で一対の前記第１フラップと一対の前記第２フラップのいずれか他方の裏面に接合され、前記使用形態にされた場合、一対の前記第１フラップと一対の前記第２フラップのいずれか一方の一部が前記第１フラップと前記第２フラップとの間に挟まれるように折り返されながら、一対の前記第１フラップと一対の前記第２フラップとが軸方向の他方に引き込まれて前記周壁の一端を閉塞してもよい。
【００１０】
本考案に係るブランクは、上記のいずれかに記載の折畳箱を形成する。
【００１１】
本考案に係る陳列台は、上記のいずれかに記載の折畳箱と、前記周壁の内部に設けられ、軸方向から見て格子状を成し前記折畳箱と共に折り畳み可能に形成される支持部材と、を備え、４つの前記折込部は、前記周壁の軸方向の一端を閉塞して棚板を形成し、前記支持部材は、前記棚板の下面に当接して前記棚板を支持する。
【考案の効果】
【００１２】
本考案によれば、折込部を挟み込んだとしても折畳箱を適切に折り畳むことができる。
【図面の簡単な説明】
【００１３】
【図１】本考案の一実施形態に係る陳列台（使用形態）を示す斜視図である。
【図２】本考案の一実施形態に係る陳列台（折畳形態）を示す斜視図である。
【図３】本考案の一実施形態に係る陳列台の折畳箱のブランクを示す平面図である。
【図４】本考案の一実施形態に係る陳列台の支持部材の支持本体部のブランクを示す平面図である。
【図５】本考案の一実施形態に係る陳列台の支持部材の支持板のブランクを示す平面図である。
【図６】本考案の一実施形態に係る陳列台の支持部材を示す斜視図である。
【図７】本考案の一実施形態に係る陳列台の組立を説明する分解斜視図である。
【図８】本考案の一実施形態に係る陳列台の変形を説明する斜視図である。
【図９】図１のＩＸ−ＩＸ断面図である。
【図１０】本考案の一実施形態に係る陳列台の変形過程における規制部の作用を説明する断面図である。
【図１１】図２のＸＩ−ＸＩ断面図である。
【図１２Ａ】図２のＸＩＩ−ＸＩＩ断面図である。
【図１２Ｂ】一般的なワンタッチ底を有する折畳箱の一部を示す断面図である。
【図１３】本考案の他の実施形態に係る折畳箱のブランクを示す平面図である。
【図１４】本考案の一実施形態の変形例に係る陳列台の折畳箱のブランクを示す平面図である。
【考案を実施するための形態】
【００１４】
以下、添付の図面を参照しつつ、本考案の実施形態について説明する。なお、図面に示すＦｒ、Ｒｒ、Ｌ、Ｒ、Ｕ、Ｄは、前、後、左、右、上、下を示している。前後方向、左右方向および上下方向（軸方向）は互いに直交している。本明細書では方向や位置を示す用語を用いるが、それらの用語は説明の便宜のために用いるものであって、本考案の技術的範囲を限定するものではない。また、方向や位置を示す用語は、陳列台を使用する状態での方向や位置を基準にしている。
【００１５】
［陳列台］
図１ないし図５を参照して、陳列台１について説明する。図１は陳列台１（使用形態Ｆ１）を示す斜視図である。図２は陳列台１（折畳形態Ｆ２）を示す斜視図である。図３は折畳箱２のブランク２Ａを示す平面図である。図４は支持部材３の支持本体部４のブランク６Ａを示す平面図である。図５は支持部材３の支持板５のブランク５Ａを示す平面図である。
【００１６】
陳列台１は、例えば、段ボールシート等の紙材で形成されている。陳列台１は、自立して商品（図示せず）の陳列に供される使用形態Ｆ１（図１参照）と、折り畳まれて平坦になる折畳形態Ｆ２（図２参照）と、の間で変形可能に構成されている。陳列台１の上部には棚板１Ｓが設けられており、使用形態Ｆ１に変形された陳列台１は棚板１Ｓに商品を陳列した状態で店頭に設置される。棚板１Ｓには、複数の商品を積み上げて置くこともできる。なお、以下の説明では、形態について明記した場合を除いて、使用形態Ｆ１に変形した陳列台１を基準にして説明する。
【００１７】
陳列台１は、折畳箱２（図１参照）と、支持部材３（後述する図６および図７参照）と、を備えている。折畳箱２は、陳列台１の主要な外観を構成し、使用形態Ｆ１と折畳形態Ｆ２との間で変形する（図１および図２参照）。折畳箱２は、上下方向（軸方向）の両端を開口した四角筒状に形成された周壁Ｗと、周壁Ｗの上端（軸方向の一端）を閉塞して棚板１Ｓを形成する４つの折込部１７と、を備えている。支持部材３は、周壁Ｗの内部に設けられ、使用形態Ｆ１において棚板１Ｓの下面に当接して棚板１Ｓを支持する。支持部材３は、支持本体部４と２つの支持板５とで平面から見て（軸方向から見て）格子状を成し周壁Ｗと共に折り畳み可能に形成されている。なお、折畳箱２の表面は、商品の説明や広告等の情報を提示するための提示面とされてもよい（図示せず）。また、２つの支持板５は同一形状であるため、以下の説明では、主に１つの支持板５について説明する。
【００１８】
折畳箱２は、支持本体部４および支持板５は、それぞれ、ブランク２Ａ，４Ａ，５Ａ（図３〜図５参照）を適宜折り曲げる等することで組み立てられる。各々のブランク２Ａ，４Ａ，５Ａは、１枚の紙製の段ボールシートを抜型等で打ち抜いて形成されている。段ボールシートは、例えば、波状の中しん９Ａに表ライナ９Ｂと裏ライナ９Ｃ（後述する図７も参照）とを貼り合せた両面段ボールシートである。なお、図３ないし図５は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００１９】
［折畳箱のブランク］
図３に示すように、折畳箱２のブランク２Ａは、４つの側壁１０〜１３と、４つの折込部１７と、を備えている。詳細は後述するが、４つの側壁１０〜１３は、周方向に連設されて周壁Ｗを構成する。また、４つの折込部１７は、４つの側壁１０〜１３の段方向（軸方向）の一端にそれぞれ連設され、周壁Ｗの内側に折り込み可能に設けられている。
【００２０】
＜側壁＞
４つの側壁１０〜１３は、流れ方向（周壁Ｗの周方向）に交互に連設された一対の第１側壁１０，１１と一対の第２側壁１２，１３とを有している。各第１側壁１０，１１と各第２側壁１２，１３とは略四角形状に形成され、各第２側壁１２，１３は各第１側壁１０，１１よりも流れ方向に幅狭く形成されている。流れ方向の中央部で並設される第２側壁１２と第１側壁１１とは、第１折曲線Ｌ１を介して連設されている。流れ方向の一方（図３では下方）に位置する第１側壁１０は、第２折曲線Ｌ２を介して第２側壁１２に連設され、流れ方向の他方（図３では上方）に位置する第２側壁１３は、第２折曲線Ｌ２を介して第１側壁１１に連設されている。また、第１側壁１０の流れ方向の一端には、第１折曲線Ｌ１を介して継代片１４が連設されている。
【００２１】
なお、第１側壁１１には、支持本体部４を接合する位置を示す２つのマークＭ１（例えば、半切線）が形成されている。また、継代片１４は、第１折曲線Ｌ１を介して第２側壁１３の流れ方向の他端に連設されてもよい（図示せず）。また、一対の第１側壁１０，１１と一対の第２側壁１２，１３との並び順を入れ替えてもよい（図示せず）。
【００２２】
（第２折曲線）
一対の第２折曲線Ｌ２は、それぞれ、二重折線１５と、折畳線１６と、を有している。二重折線１５は、側壁１０〜１３の段方向の一方において流れ方向（周方向）に間隔をあけて対を成している。折畳線１６は、１本の直線状に形成され、二重折線１５から段方向（軸方向）の他端まで延設されている。なお、一対の第２折曲線Ｌ２は同一形状であるため、以下の説明では、主に１つの第２折曲線Ｌ２について説明する。
【００２３】
二重折線１５は、後述する折込部１７が折り込まれたときの上下方向（軸方向）の長さに対応して段方向（軸方向）に延設されている。二重折線１５は、その間隔の中央位置を折畳線１６に一致させるように形成されている。二重折線１５は、側壁１０〜１３の上端から下方（軸方向の一端から他方）に向かって互いに平行に伸長した後、互いに接近するように傾斜しながら折畳線１６の上端（軸方向の一端）まで伸長している。二重折線１５の間には、略五角形状の角面部Ｓが形成されている。
【００２４】
詳細には、二重折線１５は、互いに平行に形成された一対の直線部１５Ａと、一対の直線部１５Ａの下端と折畳線１６の上端とを結ぶ一対の傾斜部１５Ｂと、を有している。一対の直線部１５Ａは、折畳線１６を上方に延長した仮想線を対称軸として線対称となる位置に形成されている。一対の直線部１５Ａは、流れ方向に段ボールシート４枚分程度の間隔をあけて形成されている。各直線部１５Ａの段方向の寸法（上下方向の長さ）は、後述する第１および第２折返壁２０，２１，３０，３１の段方向の長さよりも長く設定されている。各傾斜部１５Ｂは、折畳線１６（またはその仮想線）に対して約１５度の傾きをもって形成されている。つまり、一対の傾斜部１５Ｂの成す角度は約３０度となっている。各傾斜部１５Ｂの段方向の寸法（上下方向の長さ）は、直線部１５Ａの段方向の寸法の１／４程度に設定されている。
【００２５】
＜折込部＞
４つの折込部１７は、一対の第１折返壁２０，２１を介して一対の第１側壁１０，１１の段方向（軸方向）の一端（上端）に連設された一対の第１フラップ２２，２３と、一対の第２折返壁３０，３１を介して一対の第２側壁１２，１３の段方向の一端に連設された一対の第２フラップ３２，３３と、を有している。
【００２６】
（第１折返壁）
一対の第１折返壁２０，２１は、流れ方向に平行に延びた２本の第３折曲線Ｌ３を介して第１側壁１０，１１の段方向の一端に連設されている。２本の第３折曲線Ｌ３は段方向に段ボールシート１枚分程度の間隔をあけて形成され、２本の第３折曲線Ｌ３の間には第１額縁部２４，２５が形成されている。各第１折返壁２０，２１は、略長方形状に形成されている。各第１折返壁２０，２１の流れ方向の寸法は、第１側壁１０，１１の流れ方向の寸法から角面部Ｓの流れ方向の幅を引いた寸法と略同等である。各第１折返壁２０，２１の段方向の寸法は、二重折線１５（直線部１５Ａ）の段方向の寸法よりも短く設定されている。
【００２７】
（第２折返壁）
一対の第１折返壁２０，２１と同様に、一対の第２折返壁３０，３１は２本の第３折曲線Ｌ３を介して第２側壁１２，１３の段方向の一端に連設され、２本の第３折曲線Ｌ３の間には第２額縁部３４，３５が形成されている。各第２折返壁３０，３１は、略長方形状に形成されている。各第２折返壁３０，３１の流れ方向の寸法は、第２側壁１２，１３の流れ方向の寸法から角面部Ｓの流れ方向の幅を引いた寸法と略同等である。各第２折返壁３０，３１の段方向の寸法は、各第１折返壁２０，２１と同等である。
【００２８】
（第１フラップ）
一対の第１フラップ２２，２３は、第４折曲線Ｌ４を介して第１折返壁２０，２１の先端（段方向の一端）に連設されている。一対の第１フラップ２２，２３は概ね四角形状に形成されており、流れ方向の一方に位置する第１フラップ２２は他方の第１フラップ２３よりも段方向に長く形成されている。第１フラップ２２は、周壁Ｗの上面開口を閉塞可能な大きさに形成されている。
【００２９】
第１フラップ２２の第２フラップ３２側には、基端側から先端に向かって第２フラップ３２から離れるように傾斜した第１傾斜折線Ｌ１１が形成されている。第１フラップ２２の先端角部は、第１傾斜折線Ｌ１１によって略三角形状に区画された摘み片２６となっている。摘み片２６の第２フラップ３２側には、略半円形状の指掛け部２６Ａが凹設されている。第１フラップ２２の段方向の先端において摘み片２６に隣接する位置には、係合凸部２７が突設されている。他方の第１フラップ２３の第２フラップ３２側は、大きく切り欠かれている。第１折返壁２１の第２フラップ３２側には、第１フラップ２３との境界（第４折曲線Ｌ４）に沿って係合穴２８が穿設されている。
【００３０】
（第２フラップ）
一対の第２フラップ３２，３３は、第４折曲線Ｌ４を介して第２折返壁３０，３１の先端（段方向の一端）に連設されている。各々の第２フラップ３２，３３は、概ね三角形状に形成された本体部３２Ａ，３３Ａと、本体部３２Ａ，３３Ａの段方向の先端側から第１フラップ２２，２３側に向かって突設された貼着部３２Ｂ，３３Ｂと、を有している。
【００３１】
（貼着部）
貼着部３２Ｂ，３３Ｂは、第２傾斜折線Ｌ１２を介して本体部３２Ａ，３３Ａに連設されている。貼着部３２Ｂ，３３Ｂは、第２傾斜折線Ｌ１２を下底とする略台形状に形成されている。第２傾斜折線Ｌ１２は三角形状に形成された第２フラップ３２，３３の斜辺の一部であって、その斜辺は第２フラップ３２，３３の基端角部（第４折曲線Ｌ４の端部）から先端中央に向かって斜めに形成されている。第２傾斜折線Ｌ１２（斜辺）は、第４折曲線Ｌ４に対して略４５度の角度で傾斜している。また、各第２フラップ３２，３３には、第２傾斜折線Ｌ１２から貼着部３２Ｂ，３３Ｂに向かって突き出すように規制部３２Ｃ，３３Ｃが形成されている。規制部３２Ｃ，３３Ｃは、略台形状の突起であり、本体部３２Ａ，３３Ａから貼着部３２Ｂ，３３Ｂに突き出すように切り込まれた切目によって区画されている。なお、規制部３２Ｃ，３３Ｃには第２傾斜折線Ｌ１２は形成されていない。
【００３２】
また、貼着部３２Ｂの先端（自由端）は、第１フラップ２２の第１傾斜折線Ｌ１１と略線対称となるように（逆向きに）傾斜している。貼着部３３Ｂの先端（自由端）と、これに対向する第１フラップ２３の側辺とは、略線対称となるように（逆向きに）傾斜している。
【００３３】
なお、第１折曲線Ｌ１、第２折曲線Ｌ２（二重折線１５および折畳線１６）および第３折曲線Ｌ３は、それぞれ、段ボールシートを裏ライナ９Ｃ側から厚み方向に潰した汎用罫線である。汎用罫線は、主に裏ライナ９Ｃを内側に向けるように段ボールシートを折り曲げる（正折りする）機能を有している。また、第４折曲線Ｌ４、第１傾斜折線Ｌ１１および第２傾斜折線Ｌ１２は、それぞれ、段ボールシートを表ライナ９Ｂ側から厚み方向に潰した逆罫線である。逆罫線は、主に表ライナ９Ｂを内側に向けるように段ボールシートを折り曲げる（逆折りする）機能を有している。上記した第１折曲線Ｌ１等は、汎用罫線や逆罫線に限らず、例えば、汎用罫線上に複数の切目を入れたリード罫やミシン目等、段ボールシートを所望の向きに折り曲げるための構造であれば如何なるものでもよい。
【００３４】
［支持本体部のブランク］
図４に示すように、支持本体部４のブランク４Ａは、接合壁４０と、一対の支持片４１と、を備えている。
【００３５】
＜接合壁＞
接合壁４０は、略長方形状に形成されている。接合壁４０の段方向の寸法（高さ）は、第１側壁１０，１１等の段方向の寸法（高さ）から第１折返壁２０，２１等の段方向の寸法（高さ）を引いた寸法と略同等である。接合壁４０の流れ方向の寸法は、第２側壁１２，１３の流れ方向の寸法よりも短く設定されている。なお、接合壁４０の段方向（上下方向）の両端には、第１側壁１１の２つのマークＭ１に対応するように２つのマークＭ２（例えば、切欠き）が形成されている。
【００３６】
＜支持片＞
一対の支持片４１は、支持折線Ｌ６を介して接合壁４０の流れ方向の両端に連設されている。各支持片４１は、接合壁４０と同一高さの略長方形状に形成されている。各支持片４１の流れ方向の寸法は、第２側壁１２，１３の流れ方向の寸法よりも僅かに短く設定されている。各支持片４１には、段方向の一端から他方（上端から下方）に向かって２つの上側係合溝４２が切り込まれている。各上側係合溝４２は、段ボールシート（支持板５）を差し込むことができる程度の幅で、支持片４１の段方向の略中央まで延びている。各上側係合溝４２の上部は、上方に向かって広がるように斜めに切り欠かれている。
【００３７】
なお、支持折線Ｌ６は汎用罫線であるが、これに限らず、リード罫等の段ボールシートを所望の向きに折り曲げるための他の構造であってもよい。
【００３８】
［支持板のブランク］
図５に示すように、支持板５のブランク５Ａは、支持本体部４と同一高さの略長方形状に形成されている。支持板５（ブランク５Ａ）の流れ方向の寸法は、第１側壁１０，１１の流れ方向の寸法よりも僅かに短く設定されている。各支持板５には、段方向の他端から一方（下端から上方）に向かって２つの下側係合溝４３が切り込まれている。２つの下側係合溝４３同士の間隔は、接合壁４０の流れ方向の寸法と略同等である。各下側係合溝４３は、段ボールシート（支持片４１）を差し込むことができる程度の幅で、支持板５の段方向の略中央まで延びている。各下側係合溝４３の下部は、下方に向かって広がるように斜めに切り欠かれている。
【００３９】
［陳列台の組立］
図２、図６および図７を参照して、陳列台１の組立手順の一例について説明する。図６は支持部材３を示す斜視図である。図７は陳列台１の組立を説明する分解斜視図である。
【００４０】
陳列台１は、ブランク２Ａ，４Ａ，５Ａ（図３ないし図５参照）を適宜折り曲げたり接着したりすることで組み立てられる。なお、陳列台１は、作業者によって手作業で組み立てられてもよいし、自動製函機（図示せず）によって自動または半自動で組み立てられてもよい。ここでは、一例として、作業者が手作業で陳列台１を組み立てる場合について説明する。
【００４１】
＜支持部材の組立＞
図６に示すように、作業者は、ブランク４Ａ，５Ａから支持部材３を組み立てる。具体的には、作業者は、一対の支持片４１を支持折線Ｌ６に沿って正折りする。一対の支持片４１は接合壁４０の左右両端から後方へ延設され、支持本体部４は平面から見て略Ｕ字状（コ字状）に形成される。左右一対の上側係合溝４２は、前後２箇所に並設されている。
【００４２】
続いて、作業者は、支持板５の２つの下側係合溝４３を、支持片４１の左右一対の上側係合溝４２に合わせ、支持板５を各上側係合溝４２に差し込むと共に支持片４１を各下側係合溝４３に相対的に差し込む。これにより、一対の支持片４１と支持板５とが互いに噛み合った状態になる。作業者が２つの支持板５を一対の支持片４１に噛み合わせることで、格子状に組まれた支持部材３が完成する（図６参照）。
【００４３】
＜折畳箱と支持部材との接合＞
図７に示すように、作業者は、一対の第１折返壁２０，２１と一対の第２折返壁３０，３１とを２本の第３折曲線Ｌ３に沿って内側に折り返す（略１８０度正折りする）。各第１折返壁２０，２１は第１側壁１０，１１の裏面（裏ライナ９Ｃ）に対向し（積層され）、各第２折返壁３０，３１は第２側壁１２，１３の裏面（裏ライナ９Ｃ）に対向する（積層される）。各第１額縁部２４，２５は第１側壁１０，１１等の上端面を形成し、各第２額縁部３４，３５は第２側壁１２，１３等の上端面を形成する。なお、各第１折返壁２０，２１および各第２折返壁３０，３１は、側壁１０〜１３に接着されていないが、接着されてもよい。
【００４４】
続いて、作業者は、一対の第１フラップ２２，２３と一対の第２フラップ３２，３３とを第４折曲線Ｌ４に沿って外側に折り返す（略１８０度逆折りする）。各第１フラップ２２，２３の基端側（下側）は第１折返壁２０，２１の表面（表ライナ９Ｂ）に対向し（積層され）、各第２フラップ３２，３３の基端側（下側）は第２折返壁３０，３１の表面（表ライナ９Ｂ）に対向する（積層される）。各第１フラップ２２，２３の先端側（上側）は第１額縁部２４，２５よりも上方に延設され、各第２フラップ３２，３３の先端側（上側）は第２額縁部３４，３５よりも上方に延設される。
【００４５】
続いて、作業者は、組み立てた支持部材３の接合壁４０の表面（または第１側壁１１の裏面）に接着剤を付し、接合壁４０を第１側壁１１の裏面に接着する。この際、作業者は、第１側壁１１に形成されたマークＭ１に、接合壁４０に形成されたマークＭ１を合わせて接合作業を行うとよい。なお、接着剤としては、例えば、ホットメルト接着剤、合成樹脂系エマルジョン接着剤、両面テープ等を用いることができる。
【００４６】
また、作業者は、第２側壁１３を折り返す向きと同じ方向に一対の支持片４１を傾倒させる。すると、２つの支持板５は互いに接近すると共に接合壁４０に近接し、格子状に組まれた支持部材３は略平坦に折り畳まれる（図７参照）。
【００４７】
次に、作業者は、継代片１４の表面（または第２側壁１３の裏面）、および貼着部３２Ｂ，３３Ｂの裏面に接着剤を付し、流れ方向の両側に位置する第１側壁１０と第２側壁１３とを、第２折曲線Ｌ２に沿って折り返す（略１８０度正折りする）。継代片１４は第２側壁１３の裏面に接着され、周方向に交互に配置された一対の第１折曲線Ｌ１と一対の第２折曲線Ｌ２とを介して４つの側壁１０〜１３が連設され、平坦に折り畳まれた周壁Ｗが形成される（図２参照）。このように、対角に位置する一対の第２折曲線Ｌ２は、折畳箱２の製造時に利用される貼り罫線とされている。一対の角面部Ｓは折り畳まれた周壁Ｗの上部で左右両端面を形成し、一対の折畳線１６は折り畳まれた周壁Ｗの上部を除いて左右両縁を形成する。
【００４８】
また、図２に示すように、貼着部３２Ｂは、第２傾斜折線Ｌ１２で広げられた状態で、その先端を第１傾斜折線Ｌ１１に沿わせた位置（図７に一点鎖線で示す位置）で第１フラップ２２の裏面に接着（接合）される。貼着部３３Ｂは、第２傾斜折線Ｌ１２で広げられた状態で、その先端を第１フラップ２３の側辺に沿わせた位置（図７に一点鎖線で示す位置）で第１フラップ２３の裏面に接着（接合）される。
【００４９】
以上によって、折畳形態Ｆ２とされた陳列台１が完成する（図２参照）。陳列台１が折畳形態Ｆ２とされた場合、一対の二重折線１５および一対の折畳線１６で屈曲し、且つ一対の第１折曲線Ｌ１で広げられた二対の側壁１０〜１３の上部（軸方向の一方）の間に周壁Ｗの内側に折り込まれた４つの折込部１７を挟み込んでいる。二対の側壁１０〜１３の上部を除く部分の間には、折り畳まれた支持部材３が挟み込まれている（図示せず）。なお、二対の側壁１０〜１３とは、「第１側壁１０および第２側壁１３」と「第１側壁１１および第２側壁１２」とのことであり、以下、説明の便宜上、「前後両側の側壁１０，１３−１１，１２」ともいう。また、前後両側の側壁１０，１３−１１，１２が一対の第１折曲線Ｌ１で広げられた状態とは、同一平面上に広げられることを要求する意味ではなく、第１折曲線Ｌ１で折り癖が付いた状態で鈍角を成すように広げられることを含む意味である。
【００５０】
［折畳形態から使用形態への変形］
次に、図１、図２、図８ないし図１０を参照して、陳列台１を折畳形態Ｆ２から使用形態Ｆ１に変形させる場合について説明する。図８は陳列台１の変形を説明する斜視図である。図９は、図１のＩＸ−ＩＸ断面図である。図１０は陳列台１の変形過程における規制部３２Ｃ，３３Ｃの作用を説明する断面図である。
【００５１】
図８に示すように、作業者は、一対の第２側壁１２，１３を一対の第１側壁１０，１１に対して略直交させるように引き起こす。これにより、一対の第１側壁１０，１１と一対の第２側壁１２，１３とが略四角筒状の周壁Ｗを形成する（図１参照）。
【００５２】
図８に示すように、周壁Ｗが四角筒状を形成する過程において、一対の第１フラップ２２，２３と一対の第２フラップ３２，３３とは、第４折曲線Ｌ４を支点に下方に回動し、起立姿勢から横臥姿勢となる。一対の第１フラップ２２，２３等が下方に回動する過程で、貼着部３２Ｂは第１フラップ２２と本体部３２Ａとの間に挟まれるように第２傾斜折線Ｌ１２に沿って折り返され（逆折りされ）、貼着部３３Ｂは第１フラップ２３と本体部３３Ａとの間に挟まれるように第２傾斜折線Ｌ１２に沿って折り返される（逆折りされる）。このように、貼着部３２Ｂ，３３Ｂが折り返されながら、一対の第１フラップ２２，２３と一対の第２フラップ３２，３３とが下方（軸方向の他方）に引き込まれて周壁Ｗの上端開口を閉塞し、棚板１Ｓを形成する（図１および図９参照）。詳細には、第１フラップ２２が第１フラップ２３を覆うように回動し、最後に作業者は第１フラップ２２を下方に押し込んで、第１フラップ２２の係合凸部２７を第１折返壁２１の下部に開口した係合穴２８に係合させる。これにより、周壁Ｗの上端から第１および第２折返壁２０，２１，３０，３１の高さ分だけ下がった位置に棚板１Ｓが形成される（図１参照）。
【００５３】
また、略平坦に折り畳まれた支持部材３の一対の支持片４１は四角筒状に変形する周壁Ｗと共に起こされ、２つの支持板５は互いに離間すると共に接合壁４０から離間する。そして、支持部材３は、格子状に組まれた状態になる。棚板１Ｓは、支持部材３の上端に当接し、支持される。
【００５４】
以上によって、使用形態Ｆ１とされた陳列台１が完成する（図１参照）。作業者は、陳列台１を所望の位置に設置し、棚板１Ｓ上に商品を陳列（展示）する。
【００５５】
なお、陳列台１を使用形態Ｆ１から折畳形態Ｆ２に変形させる場合は、作業者は第１フラップ２２の指掛け部２６Ａに指を掛け、摘み片２６を第１傾斜折線Ｌ１１に沿って逆折りさせながら引き上げる。そして、作業者は、引き上げた摘み片２６を上方に引っ張って第１フラップ２２等を立ち上げながら周壁Ｗおよび支持部材３を平坦に折り畳む（主に上記した折畳形態Ｆ２から使用形態Ｆ１に変形させる手順とは逆の手順）。
【００５６】
ところで、図１０に示すように、陳列台１を使用形態Ｆ１に変形させる過程で、本体部３２Ａ，３３Ａに対して貼着部３２Ｂ，３３Ｂが逆折りされると、規制部３２Ｃ，３３Ｃが貼着部３２Ｂ，３３Ｂから刳り貫かれて本体部３２Ａ，３３Ａから相対的に突出し、隣接する第１フラップ２２，２３に干渉する。貼着部３２Ｂ，３３Ｂの逆折りが進行するに従って、規制部３２Ｃ，３３Ｃは第１フラップ２２，２３を撓ませながら図１０に示すＤ１方向に摺動する。この際、貼着部３２Ｂ，３３Ｂには元に戻す方向（図１０に示すＤ２方向）に力が作用するが、規制部３２Ｃ，３３Ｃが第１フラップ２２，２３に摺接することによって、貼着部３２Ｂ，３３Ｂを元に戻す力に対抗する。これにより、陳列台１を使用形態Ｆ１に変形させる過程で再び折畳形態Ｆ２に戻されることが抑制されるため、陳列台１を使用形態Ｆ１に変形させる作業性を効率良く行うことができる。
【００５７】
［折畳形態にされた陳列台の上部構造］
次に、図２、図１１、図１２Ａおよび図１２Ｂを参照して、折畳形態Ｆ２にされた陳列台１の上部構造について説明する。図１１は、図２のＸＩ−ＸＩ断面図である。図１２Ａは、図２のＸＩＩ−ＸＩＩ断面図である。図１２Ｂは一般的なワンタッチ底を有する折畳箱９９の一部を示す断面図である。
【００５８】
＜二重折線について＞
まず、図２および図１１（適宜、図７も参照）に示すように、各々の第１折返壁２０，２１は周壁Ｗの内側に折り返されて一対の第１側壁１０，１１の裏面に対向し、各々の第２折返壁３０，３１は周壁Ｗの内側に折り返されて一対の第２側壁１２，１３の裏面に対向している。また、一対の第１フラップ２２，２３および一対の第２フラップ３２，３３は上方に折り返されており、各第１フラップ２２，２３の基端部（下部）は第１折返壁２０，２１に対向し、各第２フラップ３２，３３の基端部（下部）は第２折返壁３０，３１に対向している。つまり、第１および第２折返壁２０，２１，３０，３１および第１および第２フラップ２２，２３，３２，３３の基端部は、周壁Ｗの内側上部のみに折り込まれている。
【００５９】
図１１に示すように、陳列台１が折畳形態Ｆ２とされた場合、第１折曲線Ｌ１で広げられた前後両側の側壁１０，１３−１１，１２の上部の間には、「第１折返壁２０および第２折返壁３１」、「第１フラップ２２および第２フラップ３３」、「第１フラップ２３および第２フラップ３２」および「第１折返壁２１および第２折返壁３０」の４層が挟み込まれている。つまり、本実施形態に係る陳列台１（周壁Ｗ）の上部は、前後両側の側壁１０，１３−１１，１２を含めて６層構造となっている。
【００６０】
前後両側の側壁１０，１３−１１，１２の上部は、一対の第２折曲線Ｌ２の二重折線１５で折り返されているため、二重折線１５の間隔（角面部Ｓの幅）だけ互いに離間している。換言すれば、前後両側の側壁１０，１３−１１，１２の上部には、角面部Ｓの幅に相当する隙間が形成される。対角に位置する一対の第２折曲線Ｌ２に二重折線１５を設け、対角部分に厚みをもたせることで、４つの折込部１７から成る４層を適切に挟み込むことができる。
【００６１】
＜折込部について＞
以上で説明したように、一対の第１フラップ２２，２３および一対の第２フラップ３２，３３は、陳列台１を開く（周壁Ｗを四角筒状に形成する）ことに連動して自動的に周壁Ｗの上面開口を閉塞していた。これに似た構造として、箱を開くだけで自動的に底面が形成されるワンタッチ底と呼ばれる構造が知られている。ワンタッチ底を有する折畳箱９９では、図１２Ｂに示すように、折畳形態Ｆ２にされた状態において、貼着部３２Ｂ，３３Ｂは折り返されて（正折りされて）隣接する第１フラップ２２，２３に接合される。したがって、折畳形態Ｆ２にされた折畳箱９９では、上記した本実施形態に係る陳列台１の上部と同様の４層に加え、中央部分に貼着部３２Ｂ，３３Ｂが挟み込まれるため、積層枚数は５層（前後両側の側壁１０，１３−１１，１２を含めて７層）になる。つまり、折畳形態Ｆ２とした場合に、一般的なワンタッチ底では、本実施形態に係る陳列台１の上部よりも１層厚くなる。なお、折畳箱９９を折畳形態Ｆ２から使用形態Ｆ１に変形すると、ワンタッチ底の貼着部３２Ｂ，３３Ｂは広げられて本体部３２Ａ，３３Ａと同一平面上に位置することになる。
【００６２】
これに対し、本実施形態に係る陳列台１では、図１２Ａに示すように、折畳形態Ｆ２において、貼着部３２Ｂ，３３Ｂが折り返されていないため、その上部が４層構造（前後両側の側壁１０，１３−１１，１２を含めて６層構造）となり、一般的なワンタッチ底よりも１層少なくなる。したがって、折畳形態Ｆ２にされた陳列台１の上部の厚さは、一般的なワンタッチ底に比べて、段ボールシート（貼着部３２Ｂ，３３Ｂ）１枚分薄くなる。
【００６３】
以上説明した本実施形態に係る陳列台１では、折込部１７（第１および第２折返壁２０，２１，３０，３１、第１および第２フラップ２２，２３，３２，３３）が周壁Ｗの上部に位置し、陳列台１を折り畳む際に屈曲させる第２折曲線Ｌ２の上部が二重折線１５になっていた。この構成によれば、二重折線１５で屈曲させた部分に、二重折線１５の間隔に相当する厚さをもたることができる。これにより、一対の第１折曲線Ｌ１で広げられた二対の側壁１０，１３−１１，１２の間に４つの折込部１７を挟み込んだとしても、罫割れや船折れ（図１２Ｂに示す現象）を抑制しながら陳列台１を適切に折り畳むことができる。また、第２折曲線Ｌ２は、折込部１７を折り込む部分以外が１本の折畳線１６で形成されているため、陳列台１を組み立てる際に第１側壁１０と第２側壁１３とを精度良く折り曲げることができる。これにより、継代片１４の貼りずれを抑制することができる。
【００６４】
また、本実施形態に係る陳列台１では、二重折線１５と折畳線１６が周方向に略等間隔に並び、二重折線１５の下部が傾斜しながら折畳線１６に滑らかに繋がっていた。この構成によれば、二重折線１５と折畳線１６とに沿って円滑に折り曲げることができると共に、二重折線１５での折り曲げ角度を略均等にすることができる。これにより、周壁Ｗの対角位置の上部が不自然に潰れることが抑制され、きれいな四角筒状の周壁Ｗを形成することができる。
【００６５】
また、本実施形態に係る陳列台１では、折畳形態Ｆ２において貼着部３２Ｂ，３３Ｂ（第２フラップ３２，３３の一部）が本体部３２Ａ，３３Ａ（第２フラップ３２，３３の他の部分）と略同一平面上に配置されて第１フラップ２２，２３に接合されていた。この構成によれば、一般的なワンタッチ底（図１２Ｂ参照）のように貼着部３２Ｂ，３３Ｂを折り返して第１フラップ２２，２３に接合する場合に比べて、折畳形態Ｆ２において二対の側壁１０，１３−１１，１２の間に挟まれる第１および第２フラップ２２，２３，３２，３３等の厚さを１枚分薄くすることができる（図１２Ａ参照）。これにより、二対の側壁１０，１３−１１，１２の間に挟まれる第１および第２フラップ２２，２３，３２，３３等の厚さを薄くすることができ、罫割れや船折れを抑制しながら陳列台１を薄く平坦に折り畳むことができる。その結果、折畳形態Ｆ２にされた陳列台１を複数積み重ねた際の高さを低く抑えることができ、例えば、紐で束ねる際の作業性を向上させることができることに加え、体積縮小に伴い輸送費を削減することができる。
【００６６】
また、本実施形態に係る陳列台１では、第１および第２折返壁２０，２１，３０，３１が内側に折り返されて第１〜第２側壁１０〜１３の裏面に対向（または接触）していた。この構成によれば、周壁Ｗの上部が二重壁構造になるため、周壁Ｗの上部の剛性を向上させることができる。また、４つの第１および第２フラップ２２，２３，３２，３３が周壁Ｗの上端よりも下がった位置で棚板１Ｓを形成していた。この構成によれば、周壁Ｗの上部が棚板１Ｓの周りに二重壁を立設させたトレイ状に構成され、棚板１Ｓ上に積み上げられた商品の落下等を抑制することができる。
【００６７】
また、本実施形態に係る陳列台１によれば、支持部材３が格子状に組まれているため、折畳箱２の折り畳みに連動して支持部材３を平坦に折り畳むことができ、さらに、棚板１Ｓが受ける荷重を確りと支えることができる。
【００６８】
なお、本実施形態に係る陳列台１では、二重折線１５が第２折曲線Ｌ２の上部に形成され、４つの折込部１７が周壁Ｗの上面開口を閉塞して棚板１Ｓ（天面）を形成していたが、本考案はこれに限定されない。例えば、第２折曲線Ｌ２の下部にも二重折線１５が形成され、周壁Ｗの下部にも４つの折込部１７が設けられ、下方の４つの折込部１７が周壁Ｗの下面開口を閉塞して底面を形成してもよい（図示せず）。この場合、下側の４つの第１および第２フラップ２２，２３，３２，３３は周壁Ｗの下端よりも上がった位置で底面を形成する。
【００６９】
また、本実施形態に係る陳列台１では、４つの第１および第２フラップ２２，２３，３２，３３が周壁Ｗの上端よりも下がった位置で棚板１Ｓを形成していたが、本考案はこれに限定されない。例えば、第１および第２折返壁２０，２１，３０，３１を省略し、４つの第１および第２フラップ２２，２３，３２，３３が４つの側壁１０〜１３の上端に連設され、周壁Ｗの上端と略同一高さで棚板１Ｓを形成してもよい（図示せず）。これと同様に、４つの第１および第２フラップ２２，２３，３２，３３が４つの側壁１０〜１３の下端に連設され、周壁Ｗの下端と略同一高さで底面を形成してもよい（図示せず）。この場合、二重折線１５（主に一対の直線部１５Ａ）の上下方向の長さは、第１および第２フラップ２２，２３，３２，３３が周壁Ｗの内側に折り込まれたときの上下方向の長さ以上とすることが好ましい。
【００７０】
また、本実施形態に係る陳列台１では、支持部材３に２つの支持板５が設けられていたが、これに限らず、支持板５は、１つであってもよいし、３つ以上であってもよいし、省略されてもよい（図示せず）。また、周壁Ｗ（４つの側壁１０〜１３）のみで必要な耐圧性能を満たすのであれば、支持部材３を省略し、折畳箱２のみで陳列台１が構成されてもよい（図示せず）。
【００７１】
［他の実施形態］
次に、図１３を参照して、他の実施形態に係る折畳箱６について説明する。図１３は折畳箱６のブランク６Ａを示す平面図である。なお、以上で説明した実施形態に係る陳列台１の折畳箱２と同様の構成には同一の符号を付し、その説明は省略する。
【００７２】
この折畳箱６は、物品を梱包するための箱として用いられる。折畳箱６（ブランク６Ａ）は、４つの側壁１０〜１３と、４つの折込部１８と、一対の上内フラップ５０，５１と、一対の上外フラップ５２，５３と、を備えている。４つの折込部１８は、一対の第１フラップ２２，２３と、一対の第２フラップ３２，３３と、を有している。
【００７３】
一対の第１フラップ２２，２３は第４折曲線Ｌ４を介して一対の第１側壁１０，１１の下端に連設され、一対の第２フラップ３２，３３は第４折曲線Ｌ４を介して一対の第２側壁１２，１３の下端に連設されている。一方の第１フラップ２２と他方の第１フラップ２３との延出寸法（段方向の寸法）は同一であり、一対の第１フラップ２２，２３の先端側には凹部２２Ａ，２３Ａが凹設されている。なお、第２折曲線Ｌ２の二重折線１５（主に一対の直線部１５Ａ）の上下方向の長さは、周壁Ｗの内側に折り込まれた第１および第２フラップ２２，２３，３２，３３の上下方向の長さ以上とされている。また、二重折線１５（一対の直線部１５Ａ）の間隔は、段ボールシート２枚分程度にされている。
【００７４】
一対の上内フラップ５０，５１は第５折曲線Ｌ５（例えば汎用罫線）を介して一対の第２側壁１２，１３の上端に連設され、一対の上外フラップ５２，５３は第５折曲線Ｌ５を介して一対の第１側壁１０，１１の上端に連設されている。
【００７５】
図示は省略するが、折畳箱６が折畳形態Ｆ２にされた場合、一対の第１フラップ２２，２３および一対の第２フラップ３２，３３は周壁Ｗの内側に折り返されており、一対の第１側壁１０，１１および一対の第２側壁１２，１３の内面に対向している。一対の貼着部３２Ｂ，３３Ｂ（第２フラップ３２，３３の一部）は、広げられた状態で一対の第１フラップ２２，２３の表面に接合されている。一方、一対の上内フラップ５０，５１および一対の上外フラップ５２，５３は周壁Ｗの上端から上方に延設されている。
【００７６】
折畳箱６が折畳形態Ｆ２とされた場合、前後両側の側壁１０，１３−１１，１２の下部の間には、「第１フラップ２２および第２フラップ３３」および「第１フラップ２３および第２フラップ３２」の２層が挟み込まれている。つまり、折畳箱６の上部は、前後両側の側壁１０，１３−１１，１２を含めて４層構造となっている。一般的なワンタッチ底とした場合、折畳箱６の下部と同様の２層に加え、中央部分に貼着部３２Ｂ，３３Ｂが挟み込まれるため、積層枚数は３層（前後両側の側壁１０，１３−１１，１２を含めて５層）になるが、他の実施形態に係る折畳箱６では、一般的なワンタッチ底よりも１層少なくなり、その下部の厚さを削減することができる。
【００７７】
図示は省略するが、折畳箱６が使用形態Ｆ１にされた場合、一対の貼着部３２Ｂ，３３Ｂが第１フラップ２２，２３と第２フラップ３２，３３（本体部３２Ａ，３３Ａ）との間に挟まれるように折り返されながら、一対の第１フラップ２２，２３と一対の第２フラップ３２，３３とが下方（軸方向の一方）に押し出されて周壁Ｗの下端（一端）を閉塞する。つまり、一対の第１フラップ２２，２３と一対の第２フラップ３２，３３は折畳箱６の底面を形成する。なお、一対の第１フラップ２２，２３は、互いの凹部２２Ａ，２３Ａを噛み合わせて周壁Ｗの下面開口を閉塞する。
【００７８】
一方、一対の上内フラップ５０，５１は、第５折曲線Ｌ５に沿って内向きに折り曲げられて周壁Ｗの上端（上面開口）の一部を閉じる。一対の上外フラップ５２，５３は、第５折曲線Ｌ５に沿って内向きに折り曲げられて一対の上内フラップ５０，５１に積層される。一対の上外フラップ５２，５３は、その先端同士を突き合わせ、周壁Ｗの上面開口を閉塞する。つまり、一対の上内フラップ５０，５１と一対の上外フラップ５２，５３は折畳箱６の天面を形成する。作業者が一対の上外フラップ５２，５３の突き合わせ部に沿って粘着テープを貼付することで、折畳箱６は封緘される。なお、上外フラップ５２，５３は上内フラップ５０，５１に接着剤で接着されてもよい。
【００７９】
以上説明した他の実施形態に係る折畳箱６によれば、罫割れや船折れを抑制しながら折畳箱６を適切に折り畳むことができる等、先に説明した実施形態に係る陳列台１と同様の効果を得ることができる。
【００８０】
なお、上記した実施形態に係る陳列台１や折畳箱６では、第２折曲線Ｌ２の二重折線１５が、一対の直線部１５Ａと一対の傾斜部１５Ｂとを有していたが、本考案はこれに限定されない。
一対の直線部１５Ａは、互いに平行でなくてもよく、例えば、上方から下方に向かって互いに接近または離間するように傾斜していてもよい（図示せず）。また、一対の傾斜部１５Ｂは、傾斜していなくてもよく、例えば、一対の直線部１５Ａに対して直交するように（略水平に）形成されてもよい（図示せず）。また、例えば、一対の傾斜部１５Ｂが省略され、二重折線１５は一対の直線部１５Ａのみで形成されてもよい（図示せず）。さらに、二重折線１５（一対の直線部１５Ａ）の間隔は、陳列台１では段ボールシート４枚分程度、折畳箱６では段ボールシート２枚分程度であったが、これに限らず、折畳形態Ｆ２にした状態で周壁Ｗの内側に折り込まれる（挟み込まれる）折込部１７，１８の厚さに応じて自由に変更してもよい。また、第２折曲線Ｌ２の二重折線１５の上下方向の長さは、周壁Ｗの内側に折り込まれた折込部１７，１８の上下方向の長さ以上とされていればよい。
【００８１】
また、上記した実施形態に係る陳列台１や折畳箱６では、第２フラップ３２，３３の一部が貼着部３２Ｂ，３３Ｂとされていたが、これに限らず、第１フラップ２２，２３の一部が貼着部とされてもよい（図示せず）。すなわち、一対の第１フラップ２２，２３と一対の第２フラップ３２，３３のいずれか一方の一部が貼着部とされ、これらの貼着部が広げられた状態で一対の第１フラップ２２，２３と一対の第２フラップ３２，３３のいずれか他方に接合されていればよい（図示せず）。
【００８２】
また、例えば、図１４に示すように、貼着部２３Ｂ，３２Ｂ（規制部２３Ｃ）が、隣接する第１フラップ２３と第２フラップ３２とに形成されてもよい。この場合、第１フラップ２３の貼着部２３Ｂは隣接する他方の第２フラップ３３に接合され、第２フラップ３２の貼着部３２Ｂは隣接する他方の第１フラップ２２に接合される。すなわち、一対の第１フラップ２２，２３のいずれか一方の一部が貼着部とされて一対の第２フラップ３２，３３のいずれか他方に接合され、一対の第２フラップ３２，３３のいずれか一方の一部が貼着部とされて一対の第１フラップ２２，２３のいずれか他方に接合されていればよい。なお、図１４では、この変形例を陳列台１の折畳箱２に適用したが、これに限らず、この変形例を他の実施形態に係る折畳箱６に適用してもよい（図示せず）。
【００８３】
また、上記した実施形態に係る陳列台１では、一方の第１フラップ２２が、他方の第１フラップ２３よりも長く延設され、周壁Ｗの上面開口または下面開口を閉塞していたが、本考案はこれに限定されない。例えば、他の実施形態に係る折畳箱６と同様に、一方の第１フラップ２２を他方の第１フラップ２３と同じ延出寸法に形成し、一対の第１フラップ２２，２３に凹部を設け、周壁Ｗの上面開口または下面開口を閉塞したときに凹部同士が噛み合うようにしてもよい（図示せず）。
【００８４】
また、上記した実施形態に係る陳列台１や折畳箱６では、折畳形態Ｆ２にされた場合に貼着部３２Ｂ，３３Ｂが広げられて本体部３２Ａ，３３Ａと略同一平面上に位置し、使用形態Ｆ１にされた場合に貼着部３２Ｂ，３３Ｂが折り返されて本体部３２Ａ，３３Ａに積層されていたが、本考案はこれに限定されない。折畳形態Ｆ２にされた状態で厚さが増してしまうが、一般的なワンタッチ底が採用されてもよい（図示せず）。
【００８５】
また、上記した実施形態に係る陳列台１や折畳箱６は、紙製の両面段ボールシートで形成されていたが、本考案はこれに限定されない。陳列台１や折畳箱６は、両面段ボールシートに代えて、片面段ボール、複両面段ボール、複々両面段ボール等で形成されてもよいし、チップボール等の板紙で形成されてもよい。また、陳列台１や折畳箱６の各部の寸法（幅、奥行き、高さ）や形状、段ボールシート等の厚みや中しん９Ａ（紙目）が延びる方向等は自由に変更してもよい。
【００８６】
なお、上記実施形態の説明は、本考案に係る折畳箱、ブランクおよび陳列台における一態様を示すものであって、本考案の技術範囲は、上記実施形態に限定されるものではない。本考案の技術範囲は、上記実施形態に限定されるものではない。本考案は技術的思想の趣旨を逸脱しない範囲において様々に変更、置換、変形されてもよく、実用新案登録請求の範囲は技術的思想の範囲内に含まれ得る全ての実施態様を含んでいる。
【符号の説明】
【００８７】
１          陳列台
１Ｓ        棚板
２，６      折畳箱
３          支持部材
１０，１１  第１側壁（側壁）
１２，１３  第２側壁（側壁）
１５        二重折線
１６        折畳線
１７，１８  折込部
２０，２１  第１折返壁
２２，２３  第１フラップ
３０，３１  第２折返壁
３２，３３  第２フラップ
Ｆ１        使用形態
Ｆ２        折畳形態
Ｌ１        第１折曲線
Ｌ２        第２折曲線
Ｗ          周壁
【図１】
0003234049.tif 000003
【図２】
0003234049.tif 000004
【図３】
0003234049.tif 000005
【図４】
0003234049.tif 000006
【図５】
0003234049.tif 000007
【図６】
0003234049.tif 000008
【図７】
0003234049.tif 000009
【図８】
0003234049.tif 000010
【図９】
0003234049.tif 000011
【図１０】
0003234049.tif 000012
【図１１】
0003234049.tif 000013
【図１２Ａ】
0003234049.tif 000014
【図１２Ｂ】
0003234049.tif 000015
【図１３】
0003234049.tif 000016
【図１４】
0003234049.tif 000017